(57)【要約】【課題】施工性がよく、また部品管理も容易なパネル止め部品とそれを備えたサッシ及びパネル体の取付方法を提供する。【解決手段】金属枠２の室内側露出部分を樹脂枠３で覆ってなる枠体１内にパネル体４を納めてなり、パネル体４は、室内側面を金属枠２で、室内側面を樹脂製の押縁部材５で、それぞれ押圧されるサッシの、金属枠２の内周面に取付けられてパネル体４の脱落を防止するものであって、金属枠２の内周面に固定される基部材３１と、基部材３１に対して回転自在な掛部材３２とからなり、掛部材３２は基部材３１に対して回転することで、パネル体４の室内側面と押縁部材５との間に出没自在とされてなる。【選択図】図５
2012031589.tif 000002
【特許請求の範囲】
【請求項１】
金属枠の室内側露出部分を樹脂枠で覆ってなる枠体内にパネル体を納めてなり、該パネル体は、室外側面を前記金属枠で、室内側面を樹脂製の押縁部材で、それぞれ押圧されるサッシの、前記金属枠の内周面に取付けられて前記パネル体の脱落を防止するパネル止め部品において、
前記金属枠の内周面に固定される基部材と、該基部材に対して回転自在な掛部材とからなり、該掛部材は前記基部材に対して回転することで、前記パネル体の室内側面と前記押縁部材との間に出没自在であることを特徴とするパネル止め部品。
【請求項２】
前記基部材は前記金属枠の内周面に当接し固着される固定面部と、該固定面部から立ち上がる連係面部とを有し、前記掛部材は前記基部材の連係面部と回転自在に連係される回動部と、該回動部から延出されて前記パネル体の室内側面と前記押縁部材との間に出没自在な対向面部とを有することを特徴とする請求項１記載のパネル止め部品。
【請求項３】
前記基部材の連係面部と前記掛部材の回動部との、いずれか一方には支軸部が形成され、他方には前記支軸部と嵌合して回転自在となる軸孔部が形成されることを特徴とする請求項２記載のパネル止め部品。
【請求項４】
前記基部材は前記パネル体の室内側面と前記押縁部材との間に配置された前記掛部材に当接して、該掛部材のそれ以上の回転を防止するストッパ部を備えることを特徴とする請求項１〜３のいずれか１項に記載のパネル止め部品。
【請求項５】
前記掛部材は先端部につまみ状の操作部を備えることを特徴とする請求項１〜４のいずれか１項に記載のパネル止め部品。
【請求項６】
金属枠の室内側露出部分を樹脂枠で覆ってなる枠体内にパネル体を納めてなり、該パネル体は、室内側面を前記金属枠で、室内側面を樹脂製の押縁部材で、それぞれ押圧されるサッシにおいて、
前記金属枠の内周面に請求項１〜５のいずれか１項に記載のパネル止め部品を取付け、前記掛部材を前記パネル体の室内側面と前記押縁部材との間に出没自在としてなることを特徴とするサッシ。
【請求項７】
前記パネル止め部品は、前記掛部材の回転範囲のいずれにおいても、前記掛部材と押縁部材との間が離隔することを特徴とする請求項６記載のサッシ。
【請求項８】
金属枠の室内側露出部分を樹脂枠で覆ってなる枠体内にパネル体を納めてなり、該パネル体は、室内側面を前記金属枠で、室内側面を樹脂製の押縁部材で、それぞれ押圧されるサッシの、前記パネル体の取付方法において、
請求項１〜５のいずれか１項に記載のパネル止め部品を内周面に取付けてなる前記金属枠を設け、前記パネル止め部品の掛部材は収納された状態とされ、前記パネル体の室外側面を前記金属枠に保持させ、前記パネル止め部品の掛部材を回転させて前記パネル体の室内側面と対向させた状態とし、前記押縁部材を取付けて前記パネル体の室内側面を保持させることを特徴とするパネル体の取付方法。
【発明の詳細な説明】
【技術分野】
【０００１】
本発明は、金属枠の室内側を樹脂枠で覆ってなるサッシにおいてガラス体等のパネル体周縁部を保持可能とするパネル止め部品とそれを備えたサッシ及びサッシの取付方法に関し、特にパネル体を取付ける際に容易にパネル止めをなすことができるパネル止め部品とそれを備えたサッシ及びパネル体の取付方法に関する。
【背景技術】
【０００２】
従来、建物開口部に設置されるサッシにおいて、金属枠の室内側露出部分を樹脂枠で覆ってなる枠体内に、ガラス体等のパネル体を納めてなる複合サッシが知られている。複合サッシは、断熱性を高めることができると共に、室内側の意匠性も高めることのできるものである。このような複合サッシにおいて、パネル体は、室外側面を金属枠によって保持され、室内側面は樹脂枠に取付けられる押縁部材によって保持される。
【０００３】
パネル体の室内側面を樹脂枠に取付けられる押縁部材によって保持する場合、火災が発生した際には、パネル体の室内側面を保持する部材が脱落すると、そのままパネル体も枠体から脱落する恐れがあるので、これを防止するために、パネル体の周縁部室内側面を保持するパネル止め部品を金属枠に固定する。
【発明の概要】
【発明が解決しようとする課題】
【０００４】
図８には、従来のサッシにおけるパネル止め部品の構成を表した拡大縦断面図を示している。この図では、パネル止め部品５６は枠体５０を構成する上枠５１に取付けられている。パネル体５５は、室外側面を金属上枠５２の室外保持部５２ａに保持され、室内側面を樹脂上枠５３に嵌合固定された押縁部材５４に保持される。金属上枠５２の内周面には、金属製のパネル止め部品５６がネジ止め固定されている。
【０００５】
パネル止め部品５６は、金属上枠５２に固定される基部材５６ａと、この基部材５６ａに対して係合固定される掛部材５６ｂとの二部材で構成されている。基部材５６ａは、予め金属上枠５２に固定されており、その状態でパネル体５５が室外保持部５２ａに保持されるように金属枠に嵌め込まれ、その後に基部材５６ａに対して別部品である掛部材５６ｂを係合させ、掛部材５６ｂがパネル体５５の周縁部室内側面と対向するようにする。そして、樹脂上枠５３に対して押縁部材５４を取付け、パネル体５５の室内側面を保持する。このようにして、パネル体５５が枠体５０に取付けられ、パネル止め部品５６の掛部材５６ｂがパネル体５５の室内側面と押縁部材５４の間に配置されることとなる。
【０００６】
しかし、従来のサッシでは、このようにパネル止め部品が二つの独立した部品で構成されており、また、枠体とパネルの間の僅かな隙間で掛部材を基部材に対して取付ける必要があり、施工性がよいとは言えなかった。また、パネル止め部品が二つの独立した部品であることにより、部品管理が煩雑となるという問題もあった。
【０００７】
本発明は前記課題を鑑みてなされたものであり、施工性がよく、また部品管理も容易なパネル止め部品とそれを備えたサッシ及びパネル体の取付方法を提供することを目的とする。
【課題を解決するための手段】
【０００８】
前記課題を解決するため、本発明に係るパネル止め部品は、金属枠の室内側露出部分を樹脂枠で覆ってなる枠体内にパネル体を納めてなり、該パネル体は、室外側面を前記金属枠で、室内側面を樹脂製の押縁部材で、それぞれ押圧されるサッシの、前記金属枠の内周面に取付けられて前記パネル体の脱落を防止するパネル止め部品において、
前記金属枠の内周面に固定される基部材と、該基部材に対して回転自在な掛部材とからなり、該掛部材は前記基部材に対して回転することで、前記パネル体の室内側面と前記押縁部材との間に出没自在であることを特徴として構成されている。
【０００９】
また、本発明に係るパネル止め部品は、前記基部材は前記金属枠の内周面に当接し固着される固定面部と、該固定面部から立ち上がる連係面部とを有し、前記掛部材は前記基部材の連係面部と回転自在に連係される回動部と、該回動部から延出されて前記パネル体の室内側面と前記押縁部材との間に出没自在な対向面部とを有することを特徴として構成されている。
【００１０】
さらに、本発明に係るパネル止め部品は、前記基部材の連係面部と前記掛部材の回動部との、いずれか一方には支軸部が形成され、他方には前記支軸部と嵌合して回転自在となる軸孔部が形成されることを特徴として構成されている。
【００１１】
さらにまた、本発明に係るパネル止め部品は、前記基部材は前記パネル体の室内側面と前記押縁部材との間に配置された前記掛部材に当接して、該掛部材のそれ以上の回転を防止するストッパ部を備えることを特徴として構成されている。
【００１２】
そして、本発明に係るパネル止め部品は、前記掛部材は先端部につまみ状の操作部を備えることを特徴として構成されている。
【００１３】
また、本発明に係るサッシは、金属枠の室内側露出部分を樹脂枠で覆ってなる枠体内にパネル体を納めてなり、該パネル体は、室内側面を前記金属枠で、室内側面を樹脂製の押縁部材で、それぞれ押圧されるサッシにおいて、
前記金属枠の内周面に請求項１〜５のいずれか１項に記載のパネル止め部品を取付け、前記掛部材を前記パネル体の室内側面と前記押縁部材との間に出没自在としてなることを特徴として構成されている。
【００１４】
さらに、本発明に係るサッシは、前記パネル止め部品は、前記掛部材の回転範囲のいずれにおいても、前記掛部材と押縁部材との間が離隔することを特徴として構成されている。
【００１５】
さらにまた、本発明に係るパネル体の取付方法は、金属枠の室内側露出部分を樹脂枠で覆ってなる枠体内にパネル体を納めてなり、該パネル体は、室内側面を前記金属枠で、室内側面を樹脂製の押縁部材で、それぞれ押圧されるサッシの、前記パネル体の取付方法において、
請求項１〜５のいずれか１項に記載のパネル止め部品を内周面に取付けてなる前記金属枠を設け、前記パネル止め部品の掛部材は収納された状態とされ、前記パネル体の室外側面を前記金属枠に保持させ、前記パネル止め部品の掛部材を回転させて前記パネル体の室内側面と対向させた状態とし、前記押縁部材を取付けて前記パネル体の室内側面を保持させることを特徴として構成されている。
【発明の効果】
【００１６】
本発明に係るパネル止め部品によれば、金属枠の内周面に固定される基部材と、基部材に対して回転自在な掛部材とからなり、掛部材は基部材に対して回転することで、パネル体の室内側面と押縁部材との間に出没自在であることにより、掛部材を基部材に対して、回転自在に一体化しており、該一体化された状態で輸送・施工がなされるから、施工現場で基部材に掛部材を取付ける必要がなく、部品の管理を容易にすることができる。また、パネル止め部品の組み立て作業の手間をなくし、部品同士の固定が不完全となることを防止できると共に、掛部材を回転させるだけで、パネル止め部品を機能させることができるから、施工性も向上させることができる。
【００１７】
また、本発明に係るパネル止め部品によれば、基部材は金属枠の内周面に当接し固着される固定面部と、固定面部から立ち上がる連係面部とを有し、掛部材は基部材の連係面部と回転自在に連係される回動部と、回動部から延出されてパネル体の室内側面と押縁部材との間に出没自在な対向面部とを有することにより、簡易な構造で基部材と掛部材を構成し、安価にパネル止め部品を形成することができる。
【００１８】
さらに、本発明に係るパネル止め部品によれば、基部材の連係面部と掛部材の回動部との、いずれか一方には支軸部が形成され、他方には支軸部と嵌合して回転自在となる軸孔部が形成されることにより、簡易な構造で掛部材を基部材に対して回転自在とすることができる。
【００１９】
さらにまた、本発明に係るパネル止め部品によれば、基部材はパネル体の室内側面と押縁部材との間に配置された掛部材に当接して、掛部材のそれ以上の回転を防止するストッパ部を備えることにより、掛部材を所定位置に容易に位置決めでき、また枠体の四周各辺に設けた際に、重力により掛部材が必要以上に回転することを防止できる。
【００２０】
そして、本発明に係るパネル止め部品によれば、掛部材は先端部につまみ状の操作部を備えることにより、掛部材を容易に回転させることができ、施工性をより向上させることができる。
【図面の簡単な説明】
【００２１】
【図１】本実施形態におけるサッシの縦断面図である。
【図２】本実施形態におけるサッシの横断面図である。
【図３】サッシ設置状態におけるパネル止め部品の正面図と平面図及び側面図である。
【図４】パネル止め部品の斜視図である。
【図５】上枠におけるパネル体の取付時の断面図である。
【図６】パネル止め部品を表したサッシの正面図である。
【図７】第２の実施形態のパネル止め部品の正面図である。
【図８】従来のサッシにおけるパネル止め部品の構成を表した拡大縦断面図である。
【発明を実施するための形態】
【００２２】
本発明の実施形態について図面に沿って詳細に説明する。図１には本実施形態におけるサッシの縦断面図を、図２には本実施形態におけるサッシの横断面図を、それぞれ示している。これら各図に示すように、本実施形態におけるサッシは、建物開口部に設けられる枠体１内に複層ガラス板からなるパネル体４を納めてなるものであり、枠体１を構成する金属枠２の室内側露出部分を樹脂枠３で覆ってなる複合サッシである。パネル体４は、周縁部室外側面を金属枠２で保持され、周縁部室内側面を樹脂製の押縁部材５または樹脂枠３で保持される。
【００２３】
枠体１は、上枠１０と下枠１３及び左右の縦枠１６、１６を方形状に枠組みしてなり、上枠１０は室外側の金属上枠１１と室内側の樹脂上枠１２とからなり、下枠１３は室外側の金属下枠１４と室内側の樹脂下枠１５とからなり、縦枠１６は室外側の金属縦枠１７と室内側の樹脂縦枠１８とからなる。
【００２４】
金属枠２を構成する金属上枠１１と金属下枠１４及び金属縦枠１７には、外周面に四周に渡るフィン部２０が形成されている。フィン部２０は、建物開口部の室外面に当接し、ビス止めによって枠体１を建物駆体に固着するために設けられる。また、金属上枠１１と金属下枠１４及び金属縦枠１７の内周面２２には、見付方向内側に向かって突出する室外保持部２１が形成される。室外保持部２１は、パネル体４の周縁部室外面を、四周に渡って保持する。
【００２５】
金属上枠１１と金属下枠１４及び金属縦枠１７の室内側には、樹脂枠保持部２３が形成され、この樹脂枠保持部２３に樹脂枠３が係合される。樹脂枠３を構成する樹脂上枠１２と樹脂下枠１５及び樹脂縦枠１８は、それぞれ金属上枠１１と金属下枠１４及び金属縦枠１７の樹脂枠保持部２３に係合して固定され、樹脂上枠１２と樹脂縦枠１８の内周側には押縁部材５を係合させる押縁係合部２４がそれぞれ形成されている。樹脂下枠１５は、押縁部材５を介さず、直接パネル体４を保持する。また、樹脂枠３の室内側には、室内側に向かって延出されるアングル部２５が四周に渡って形成されている。
【００２６】
押縁部材５は、前述のように樹脂材からなり、外周側に樹脂枠３と係合する係合部５ａを備えると共に、室外側端部にパネル体４の室内側面を保持する保持部５ｂが形成されている。枠体１の上辺と縦辺においては、金属枠２の内周面２２と室外保持部２１、及び押縁部材５によって、凹状の領域が形成され、パネル体４の周縁部が納められると共に保持される。枠体１の下辺においては、金属枠２のみで凹状の領域が形成されており、この凹状の領域にパネル体４の周縁部が納められると共に、金属枠２の室外保持部２１と樹脂下枠１５とによってパネル体４の室外面と室内面がそれぞれ保持される。
【００２７】
押縁部材５は樹脂枠３に固定されており、これらはいずれも樹脂材で構成されているから、火災の際、高温になると脱落する可能性がある。その場合であってもパネル体４が枠体１から脱落しないように、金属枠２の内周面２２にはパネル止め部品３０が設けられる。図１と図２に示すように、本実施形態においてパネル止め部品３０は、金属枠２の上辺と縦辺にそれぞれ設けられている。金属枠２の下辺については、前述のように金属枠２だけでパネル体４の周縁部を納める凹状の領域が形成されているから、パネル止め部品３０を設ける必要はない。ただし、枠体１の下辺においても他の辺と同様、金属枠２と押縁部材５によって凹状の領域を形成する場合には、金属枠２の下辺にもパネル止め部品３０が必要となる。
【００２８】
パネル止め部品３０は、金属材からなり、金属枠２の内周面２２に固定される基部材３１と、基部材３１から見付方向内側に突出する掛部材３２とで構成されている。掛部材３２は、基部材３１に対して回転自在となるように連係し、二部材で一体的な部品を構成している。パネル止め部品３０は、サッシが設置された状態においては、図１及び図２に示されているように、掛部材３２がパネル体４の室内側面と押縁部材５の間に配置される。これにより、掛部材３２はパネル体４の室内側面と対向するので、樹脂枠３及び押縁部材５が脱落した場合であっても、パネル体４の室内側面を保持することができ、パネル体４の枠体１からの脱落を防止することができる。
【００２９】
図３にはサッシの設置状態におけるパネル止め部品３０の正面図と平面図及び側面図を示している。図３（ａ）は、図２中左側に設けられるパネル止め部品３０を室内側から見た正面図、図３（ｂ）は、図２中左側に設けられるパネル止め部品３０を上方から見た平面図、図３（ｃ）は、図２中左側に設けられるパネル止め部品３０を枠体１の内周側から見た側面図である。
【００３０】
パネル止め部品３０を構成する基部材３１は、金属枠２の内周面２２に当接して固着される固定面部３１ａと、固定面部３１ａから見付方向内側に向かって突出する連係面部３１ｂとを有しており、断面略Ｌ字状をなしている。固定面部３１ａには、金属枠２に対して固定するためのネジを挿通させるネジ孔３１ｃが形成されている。連係面部３１ｂには、掛部材３２を回転自在に保持する支軸部３１ｄが形成されている。
【００３１】
図３（ａ）に示されているように、支軸部３１ｄは、基部材３１の上下方向における中央線を挟んで対称な２箇所にそれぞれ形成されている。そのうち１箇所の支軸部３１ｄに掛部材３２が設けられる。支軸部３１ｄが上下対称位置の２箇所に設けられていることにより、上下及び左右に反転させることで、反対側の縦枠１６に設けられるパネル止め部品３０にも、同じ基部材３１を共用することができる。なお、掛部材３２は、左右それぞれに対応して形成する必要がある。
【００３２】
２つの支軸部３１ｄ間には、突起状のストッパ部３１ｅが形成されている。ストッパ部３１ｅは、掛部材３２が図３に示されている状態において、掛部材３２の側面に当接して、それ以上回転しないようにするために設けられる。これによって、掛部材３２を所定位置で確実に位置決めすることができ、また、掛部材３２が重力により所定位置に定まらないことを防止することができるので、パネル止め部品３０を枠体１の上下左右のいずれの辺にも設けることができる。
【００３３】
２つの支軸部３１ｄの外側位置には、それぞれ突部３１ｆが形成されている。図３（ｃ）に示すように、突部３１ｆは、ストッパ部３１ｅより低い凸状に形成されており、掛部材３２の側面に当接はしないが、回転に伴って掛部材３２が乗り上げることができるようになっている。掛部材３２を図３（ａ）の状態から支軸部３１ｄを中心とし左回りに９０度回転させた状態において、掛部材３２は上側の突部３１ｆに乗り上げ、重力や小さい力によっては回転しない。これにより、掛部材３２が不必要に回転することがなく、輸送や施工時においてパネル止め部品３０の仮止めをなすことができる。
【００３４】
掛部材３２は、基部材３１の連係面部３１ｂに対して回転自在に連係される回動部３２ａと、回動部３２ａから延出される対向面部３２ｂとを有して構成されている。回動部３２ａには、連係面部３１ｂの支軸部３１ｄを挿通させる軸孔部３２ｃが形成されている。また、対向面部３２ｂの先端部には、つまみ状の操作部３２ｄが形成されている。操作部３２ｄに指を引っかけることで、掛部材３２を容易に回転させることができる。
【００３５】
図４には、パネル止め部品３０の斜視図を示している。図４（ａ）は、パネル体４を枠体１に取付ける前の状態のパネル止め部品３０の斜視図である。この図に示すように、パネル体４を取付ける前においては、掛部材３２を基部材３１の連係面部３１ｂの長手方向に沿う方向に配置している。この際、前述のように、掛部材３２は突部３１ｆに乗り上げた状態となっており、重力や小さい力により不必要に回転することがないようにされている。
【００３６】
基部材３１の支軸部３１ｄは、連係面部３１ｂからリング状に突出するように形成されている。これは、連係面部３１ｂの裏側から押圧加工することで、支軸部３１ｄを突出形成したものである。押圧加工で形成された支軸部３１ｄを、掛部材３２の軸孔部３２ｃに挿通させ、その上で、支軸部３１ｄの縁部分を圧潰させることで、掛部材３２が支軸部３１ｄから抜けないようにする。これにより、掛部材３２が基部材３１により回転自在に保持される。なお、本実施形態では基部材３１に支軸部３１ｄを設け、掛部材３２に軸孔部３２ｃを設けているが、逆に掛部材３２に支軸部を設け、基部材３１に軸孔部を設けるようにしてもよい。また、掛部材３２を基部材３１に対して回転自在とするための構成は、支軸部と軸孔部の組み合わせには限られず、例えばビス止め等の締結手段により掛部材３２が基部材３１に対して回転自在となるようにしてもよい。
【００３７】
このようにして、基部材３１と掛部材３２が一体化されてパネル止め部品３０が形成され、枠体１を構成する金属枠２に対して取付けられる。ここまでは、工場内で作業が行われてもよい。掛部材３２を基部材３１に対し、回転自在に一体化したことにより、該一体化された状態で輸送・施工がなされるから、施工現場で基部材３１に掛部材３２を取付ける必要がなく、部品の管理を容易にすることができる。また、パネル止め部品３０の組み立て作業の手間をなくし、部品同士の固定が不完全となることを防止できると共に、掛部材３２を回転させるだけで、パネル止め部品３０を機能させることができるから、施工性も向上させることができる。
【００３８】
図４（ｂ）に示すように、掛部材３２は、その先端を連係面部３１ｂの先端側に傾倒させるように、回転させることができる。掛部材３２をある程度回転させると、掛部材３２が突部３１ｆに乗り上げた状態を解除でき、小さい力で掛部材３２をさらに回転させることができる。この際、掛部材３２の操作部３２ｄが室内側に向かって屈曲しているので、室内側からの操作を容易になすことができる。
【００３９】
図４（ｃ）に示すように、掛部材３２の側面がストッパ部３１ｅに当接した状態で、掛部材３２はそれ以上回転しないこととなる。この状態において、掛部材３２はパネル体４の室内側面と対向した状態となる。
【００４０】
図５には、上枠１０におけるパネル体４の取付時の断面図を示している。図５（ａ）は、金属枠２にパネル体４を保持させた状態を示している。パネル体４は、建物開口部に金属枠２が取付けられた後に、室内側から取付けられ、室外側面が金属枠２の室外保持部２１により保持される。このとき、パネル止め部品３０の掛部材３２は、図４（ａ）に示すような長手方向が連係面部３１ｂの長手方向に沿うように配置されており、掛部材３２が収納された状態となっている。このため、パネル体４を金属枠２に保持させる際に、掛部材３２が干渉することがなく、円滑にパネル体４を取付けることができる。
【００４１】
パネル体４を金属枠２に保持させたら、パネル止め部品３０の掛部材３２を室内側から回転させ、図５（ｂ）に示すように、対向面部３２ｂをパネル体４の室内側面と対向させる。この際、掛部材３２の操作部３２ｄに指を引っかけて回転させることで、掛部材３２を容易に回転動作させることができる。その上で、樹脂枠３の押縁係合部２４に対して押縁部材５を係合させることで、押縁部材５が樹脂枠３に取付けられると共に、押縁部材５によりパネル体４の室内側面を保持させる。これによって、パネル体４の取付作業が完了する。
【００４２】
図６には、パネル止め部品３０を表したサッシの正面図を示している。この図に示すように、パネル止め部品３０は、枠体１の上辺と縦辺の、それぞれ長手方向両端付近に２箇所ずつ設けられる。また、枠体１の下辺については、前述の通り、下枠１３には金属枠２だけでパネル体４の周縁部を納める凹状の領域が形成されているから、パネル止め部品３０は設けられない。これらにより、四周に渡ってパネル体４が確実に保持され、十分な防火性能を達成することができる。
【００４３】
図７には、第２の実施形態におけるパネル止め部品３０の正面図を示している。第２の実施形態のパネル止め部品３０は、基部材３１に対して掛部材３２が回転自在に支持されている点では、第１の実施形態と同様である。ただし、基部材３１の支軸部３１ｄが１箇所のみに形成され、突部３１ｆは有していない。一方で、ストッパ部３１ｅは形成されている。このような構成であっても、図１等に示したサッシにパネル止め部品３０として使用することができる。
【００４４】
以上、本発明の実施形態について説明したが、本発明の適用は本実施形態には限られず、その技術的思想の範囲内において様々に適用されうるものである。例えば、パネル止め部品３０の基部材３１には、ストッパ部３１ｅや突部３１ｆが必ずしも形成されていなくてもよいし、また、支軸部３１ｄが上下２箇所に形成されていなくてもよく、少なくとも１箇所で掛部材３２を回転自在に支持できればよい。さらには、図３（ｂ）に示されているように、基部材３１はクランク状に折れ曲がって形成されているが、単なるＬ字状に形成されていてもよいことは、言うまでもない。
【符号の説明】
【００４５】
１    枠体
２    金属枠
３    樹脂枠
４    パネル体
５    押縁部材
１０    上枠
１１    金属上枠
１２    樹脂上枠
１３    下枠
１４    金属下枠
１５    樹脂下枠
１６    縦枠
１７    金属縦枠
１８    樹脂縦枠
３０    パネル止め部品
３１    基部材
３１ａ  固定面部
３１ｂ  連係面部
３１ｄ  支軸部
３１ｅ  ストッパ部
３２    掛部材
３２ａ  回動部
３２ｂ  対向面部
３２ｃ  軸孔部
３２ｄ  操作部
【図１】
2012031589.tif 000003
【図２】
2012031589.tif 000004
【図３】
2012031589.tif 000005
【図４】
2012031589.tif 000006
【図５】
2012031589.tif 000007
【図６】
2012031589.tif 000008
【図７】
2012031589.tif 000009
【図８】
2012031589.tif 000010